(57)【要約】【課題】この発明は、接続された複数の録画手段に録画されている番組をユーザが容易に管理可能とするナビゲーション機能を備え、所望の録画番組を迅速に検索して再生することを可能とした信号再生装置及び信号再生方法を提供することを目的としている。【解決手段】入力信号から再生した番組を、それぞれが所定の情報伝送形態で情報の入出力可能に接続された複数の録画手段１９，２５，２７，２８，３３，３４，３６〜３９，４１，４２に選択的に録画させる装置及び方法であって、複数の録画手段１９，２５，２７，２８，３３，３４，３６〜３９，４１，４２に録画された番組を示す情報を、最新の録画番組から溯って予め設定された所定の数だけ一覧表示させる。【選択図】    図１
2006067540.tif 000002
【特許請求の範囲】
【請求項１】
番組を含む信号が入力される入力手段と、
前記入力手段に入力された信号から番組を再生する処理手段と、
前記処理手段で再生した番組を、それぞれが所定の情報伝送形態で情報の入出力可能に接続された複数の録画手段に選択的に録画させる録画制御手段と、
前記録画制御手段により複数の録画手段に録画された番組を示す情報を、最新の録画番組から溯って予め設定された所定の数だけ一覧表示させる表示制御手段とを具備することを特徴とする信号再生装置。
【請求項２】
前記表示制御手段は、
前記録画制御手段によって選択された録画手段を示す情報と、その録画手段に録画された番組を示す情報とを記録媒体に記録する情報記録手段を具備し、
前記情報記録手段により記録媒体に記録された情報に基づいて、前記複数の録画手段に録画された番組を示す情報を、最新の録画情報から溯って予め設定された所定の数だけ一覧表示させることを特徴とする請求項１記載の信号再生装置。
【請求項３】
前記表示制御手段によって一欄表示された情報の中から所定の情報を選択させるための選択手段と、
前記選択手段で選択された情報に対応した番組を録画した録画手段を、前記記録媒体に記録された情報に基づいて特定する特定手段と、
前記特定手段で特定された録画手段からその番組を読み出して再生可能か否かを判別する判別手段と、
前記判別手段で再生可能であると判別された場合、前記特定手段で特定された録画手段から番組を読み出して再生する再生手段とを具備することを特徴とする請求項２記載の信号再生装置。
【請求項４】
前記表示制御手段は、
複数の選択項目を有するナビゲーションメニューを表示させるためのメニュー表示手段と、
前記メニュー表示手段で表示されたナビゲーションメニューから所定の項目を選択させるための項目選択手段と、
前記項目選択手段で選択された項目で表示可能となる映像の一部を前記ナビゲーションメニューと同一画面上に表示させる映像表示手段とを具備することを特徴とする請求項１乃至３いずれかに記載の信号再生装置。
【請求項５】
番組を含む信号が入力される第１の工程と、
前記第１の工程で入力された信号から番組を再生する第２の工程と、
前記第２の工程で再生した番組を、それぞれが所定の情報伝送形態で情報の入出力可能に接続された複数の録画手段に選択的に録画させる第３の工程と、
前記第３の工程で複数の録画手段に録画された番組を示す情報を、最新の録画番組から溯って予め設定された所定の数だけ一覧表示させる第４の工程とを具備することを特徴とする信号再生方法。
【請求項６】
前記第４の工程は、
前記第３の工程によって選択された録画手段を示す情報と、その録画手段に録画された番組を示す情報とを記録媒体に記録する第５の工程を具備し、
前記第５の工程で記録媒体に記録された情報に基づいて、前記複数の録画手段に録画された番組を示す情報を、最新の録画情報から溯って予め設定された所定の数だけ一覧表示させることを特徴とする請求項５記載の信号再生方法。
【請求項７】
前記第４の工程によって一欄表示された情報の中から所定の情報を選択する第６の工程と、
前記第６の工程で選択された情報に対応した番組を録画した録画手段を、前記記録媒体に記録された情報に基づいて特定する第７の工程と、
前記第７の工程で特定された録画手段からその番組を読み出して再生可能か否かを判別する第８の工程と、
前記第８の工程で再生可能であると判別された場合、前記第７の工程で特定された録画手段から番組を読み出して再生する第９の工程とを具備することを特徴とする請求項６記載の信号再生方法。
【請求項８】
配信予定番組に関する番組情報を取得する取得手段と、
前記配信予定番組から所定の番組を検索するために、それぞれが複数種類の検索条件を含む複数の番組検索条件を設定可能とする設定手段と、
前記取得手段で取得された番組情報から、前記設定手段で設定された複数の番組検索条件のそれぞれに基づいて番組検索を行なう検索手段と、
前記検索手段により前記設定手段で設定された複数の番組検索条件のそれぞれに基づいて検索された番組を、いずれの番組検索条件に基づいて検索された番組であるかに無関係に混合して一覧表示するとともに、一覧表示された番組に対して、いずれの番組検索条件に基づいて検索された番組であるかを表示する検索結果表示手段とを具備することを特徴とする番組検索装置。
【請求項９】
前記設定手段は、前記番組検索条件が含む複数種類の検索条件として、ジャンル、キーワード、チャンネルのいずれかを設定可能であることを特徴とする請求項８記載の番組検索装置。
【請求項１０】
ＮＡＳを含む複数の機器を接続可能とする接続手段と、
前記接続手段に接続された複数の機器を登録する登録手段と、
前記登録手段で登録された複数の機器を一覧表示するとともに、前記ＮＡＳに対しては専用ポートであることを示す表示を行なう表示手段と、
前記登録手段で登録された複数の機器を選択的に制御する制御手段とを具備することを特徴とする信号処理装置。
【請求項１１】
前記登録手段は、
前記接続手段に接続された機器を登録するための所定のトリガが与えられたことを検出するトリガ検出手段と、
前記トリガ検出手段が前記所定のトリガが与えられたことを検出したとき、前記接続手段に接続された機器を検索する機器検索手段と、
前記機器検索手段で検索された機器を登録する機器登録手段とを具備することを特徴とする請求項１０記載の信号処理装置。
【請求項１２】
前記トリガ検出手段は、電源をオンしたこと、前記機器を登録するための設定メニューを起動したこと、前記機器に対して再生動作または記録動作の実行を要求したことの少なくとも１つを前記トリガとして検出することを特徴とする請求項１１記載の信号処理装置。
【請求項１３】
前記接続手段は、
前記ＮＡＳを専用に接続するために設定された第１の接続端子と、
前記ＮＡＳ以外の機器も接続可能に設定された第２の接続端子とを備えることを特徴とする請求項１０乃至１２いずれかに記載の信号処理装置。
【請求項１４】
複数の録画手段を接続可能とする接続手段と、
前記接続手段に接続された複数の録画手段から所定の録画手段を選択可能とする選択手段と、
前記選択手段で選択された録画手段からその録画番組を検索するための複数種類の検索条件を設定可能とする設定手段と、
前記選択手段で選択された録画手段に録画された番組の中から、前記設定手段で設定された複数種類の検索条件に基づいて番組検索を行なう検索手段と、
前記検索手段で検索された番組を示す情報を一覧表示させる表示手段とを具備することを特徴とする録画番組検索装置。
【請求項１５】
前記設定手段は、複数種類の検索条件として、ジャンル、キーワード、日付、チャンネルのいずれかを設定可能であることを特徴とする請求項１４記載の録画番組検索装置。
【請求項１６】
前記検索手段は、前記選択手段で選択された録画手段に問い合わせることにより、前記設定手段で設定された複数種類の検索条件に基づいて番組検索を行なうことを特徴とする請求項項１４または１５記載の録画番組検索装置。
【請求項１７】
前記選択手段で選択された録画手段に対する録画番組の一覧表示を行なう表示手段を具備することを特徴とする請求項１６記載の録画番組検索装置。
【請求項１８】
前記表示手段は、前記選択手段で選択された録画手段に、フォルダによる階層構造で番組が格納されている場合、その最上階のフォルダを録画番組の一覧表示に加えることを特徴とする請求項１７記載の録画番組検索装置。
【請求項１９】
前記設定手段は、検索条件として、番組検索を行なうフォルダを指定するための検索場所を設定可能であることを特徴とする請求項１８記載の録画番組検索装置。
【請求項２０】
前記検索手段で検索された番組の中から所定の番組を選択可能とする検索番組選択手段と、
前記検索番組選択手段で選択された番組を、その録画手段から読み出して再生する再生手段とを具備することを特徴とする請求項１６記載の録画番組検索装置。
【発明の詳細な説明】
【技術分野】
【０００１】
この発明は、入力信号から番組の映像信号及び音声信号等を再生する信号再生装置及び信号再生方法に係り、特にデジタルテレビジョン放送受信装置等に使用して好適するものに関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
そして、このようなデジタルテレビジョン放送を受信するデジタル放送受信装置にあっては、例えばＨＤＤ（Hard Disk Drive）のような大容量のデジタル録画機器を接続することにより、受信した番組をデジタル録画したり、録画した番組を再生したりすることが可能となっている。
【０００４】
さらに、現在では、１台のデジタル放送受信装置に対して、複数のデジタル録画機器を接続してネットワーク化することにより、デジタル放送受信装置が、任意のデジタル録画機器を指定して番組の録画を行なわせたり、任意のデジタル録画機器を指定して番組の再生を行なわせたりすることができる。
【０００５】
ところで、このように、複数のデジタル録画機器をネットワーク接続可能としたデジタル放送受信装置においては、各デジタル録画機器に記録されている番組をユーザが容易に管理することができ、所望の録画番組を迅速に検索して再生できるようにすることが重要となる。
【０００６】
特許文献１には、ネットワーク接続されているＡＶ機器の全コンテンツの中から希望するものを選択することで、当該コンテンツを記録しているＡＶ機器の制御プログラムを取得実行することにより、そのＡＶ機器に記録されているコンテンツの一覧を画面に表示させる技術が開示されている。
【０００７】
また、特許文献２には、番組情報から番組検索のために入力したキーワードを含む番組を検索して予約録画し、録画した番組のキーワードを整理し、例えばキーワード別に表示することにより、録画番組の検索を容易化させる技術が開示されている。
【０００８】
さらに、特許文献３には、放送あるいは汎用ネットワークを介して供給されるＥＰＧが示すジャンルをキーとして、放送予定番組あるいは記録済み番組を検索する際、各番組に標準で付与されるジャンル以外に、各番組に対して与えられる番組属性を新たにジャンル項目として登録することができるようにした技術が開示されている。
【特許文献１】特開２００３−１８５１５号公報
【特許文献２】特開２００１−３３９６８３号公報
【特許文献３】特開２００１−２６８４６７号公報
【発明の開示】
【発明が解決しようとする課題】
【０００９】
そこで、この発明は上記事情を考慮してなされたもので、接続された複数の録画手段に録画されている番組をユーザが容易に管理可能とするナビゲーション機能を備え、所望の録画番組を迅速に検索して再生することを可能とした信号再生装置及び信号再生方法を提供することを目的とする。
【課題を解決するための手段】
【００１０】
この発明に係る信号再生装置は、番組を含む信号が入力される入力手段と、入力手段に入力された信号から番組を再生する処理手段と、処理手段で再生した番組を、それぞれが所定の情報伝送形態で情報の入出力可能に接続された複数の録画手段に選択的に録画させる録画制御手段と、録画制御手段により複数の録画手段に録画された番組を示す情報を、最新の録画番組から溯って予め設定された所定の数だけ一覧表示させる表示制御手段とを備えるようにしたものである。
【００１１】
また、この発明に係る信号再生方法は、番組を含む信号が入力される第１の工程と、第１の工程で入力された信号から番組を再生する第２の工程と、第２の工程で再生した番組を、それぞれが所定の情報伝送形態で情報の入出力可能に接続された複数の録画手段に選択的に録画させる第３の工程と、第３の工程で複数の録画手段に録画された番組を示す情報を、最新の録画番組から溯って予め設定された所定の数だけ一覧表示させる第４の工程とを備えるようにしたものである。
【発明の効果】
【００１２】
上記した発明によれば、入力信号から再生した番組を、それぞれが所定の情報伝送形態で情報の入出力可能に接続された複数の録画手段に選択的に録画させる装置及び方法であって、複数の録画手段に録画された番組を示す情報を、最新の録画番組から溯って予め設定された所定の数だけ一覧表示させるようにしたので、接続された複数の録画手段に録画されている番組をユーザが容易に管理可能とするナビゲーション機能を備えることができ、所望の録画番組を迅速に検索して再生することを可能とすることができる。
【発明を実施するための最良の形態】
【００１３】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１４】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１５】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１６】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１７】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１８】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１９】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００２０】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００２１】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２２】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２３】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２４】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２５】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２６】
そして、このチューナ４５で選局された放送信号は、ＰＳＫ（Phase Shift Keying）復調器４６に供給されて、デジタルの映像信号及び音声信号に復調された後、信号処理部４７に出力される。
【００２７】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２８】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２９】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号及び音声信号に復調された後、上記信号処理部４７に出力される。
【００３０】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力している。
【００３１】
また、上記信号処理部４７には、複数（図示の場合は４つ）の入力端子５６ａ，５６ｂ，５６ｃ，５６ｄが接続されている。これら入力端子５６ａ〜５６ｄは、それぞれ、アナログの映像信号及び音声信号を、デジタルテレビジョン放送受信装置１１の外部から入力可能とするものである。
【００３２】
そして、この信号処理部４７は、上記アナログ復調器５３及び各入力端子５６ａ〜５６ｄからそれぞれ供給されたアナログの映像信号及び音声信号を選択的にデジタル化し、そのデジタル化された映像信号及び音声信号に対して所定のデジタル信号処理を施した後、グラフィック処理部５４及び音声処理部５５に出力している。
【００３３】
このうち、グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００３４】
そして、グラフィック処理部５４から出力されたデジタルの映像信号は、映像処理部５８に供給される。この映像処理部５８は、入力されたデジタルの映像信号を、前記映像表示器１４で表示可能なフォーマットのアナログ映像信号に変換した後、映像表示器１４に出力して映像表示させるとともに、出力端子５９を介して外部に導出させる。
【００３５】
また、上記音声処理部５５は、入力されたデジタルの音声信号を、前記スピーカ１５で再生可能なフォーマットのアナログ音声信号に変換した後、スピーカ１５に出力して音声再生させるとともに、出力端子６０を介して外部に導出させる。
【００３６】
ここで、このデジタルテレビジョン放送受信装置１１は、上記した各種の受信動作を含むその全ての動作を制御部６１によって統括的に制御されている。この制御部６１は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３７】
この場合、制御部６１は、主として、そのＣＰＵが実行する制御プログラムを格納したＲＯＭ（Read Only Memory）６２と、該ＣＰＵに作業エリアを提供するＲＡＭ（Random Access Memory）６３と、各種の設定情報及び制御情報等が格納される不揮発性メモリ６４とを利用している。
【００３８】
また、この制御部６１は、カードＩ／Ｆ（Interface）６５を介して、前記第１のメモリカード１９が装着可能なカードホルダ６６に接続されている。これによって、制御部６１は、カードホルダ６６に装着された第１のメモリカード１９と、カードＩ／Ｆ６５を介して情報伝送を行なうことができる。
【００３９】
さらに、上記制御部６１は、カードＩ／Ｆ６７を介して、前記第２のメモリカード２０が装着可能なカードホルダ６８に接続されている。これにより、制御部６１は、カードホルダ６８に装着された第２のメモリカード２０と、カードＩ／Ｆ６７を介して情報伝送を行なうことができる。
【００４０】
また、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００４１】
さらに、上記制御部６１は、通信Ｉ／Ｆ７０を介して第２のＬＡＮ端子２２に接続されている。これにより、制御部６１は、第２のＬＡＮ端子２２に接続された各機器（図１参照）と、通信Ｉ／Ｆ７０を介して情報伝送を行なうことができる。
【００４２】
また、上記制御部６１は、ＵＳＢ Ｉ／Ｆ７１を介して前記ＵＳＢ端子２３に接続されている。これにより、制御部６１は、ＵＳＢ端子２３に接続された各機器（図１参照）と、ＵＳＢ Ｉ／Ｆ７１を介して情報伝送を行なうことができる。
【００４３】
さらに、上記制御部６１は、ｉ．Link Ｉ／Ｆ７２を介してｉ．Link端子２４に接続されている。これにより、制御部６１は、ｉ．Link端子２４に接続された各機器（図１参照）と、ｉ．Link Ｉ／Ｆ７２を介して情報伝送を行なうことができる。
【００４４】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００４５】
図４は、このデジタルテレビジョン放送受信装置１１が、その端子２１〜２４に接続された各機器のうちのデジタル録画機器に番組を録画する動作を説明するフローチャートを示している。
【００４６】
すなわち、番組の録画が要求されることにより処理が開始（ステップＳ４ａ）されると、制御部６１は、ステップＳ４ｂで、放送信号またはネットワークを介して予め取得した番組情報であるＥＰＧ（Electronic Program Guide）情報に基づいて、図５に示すような番組表を映像表示器１４に表示させる。
【００４７】
すると、ユーザは、ステップＳ４ｃで、表示された番組表に基づいて所望の番組の録画予約設定を実行する。この録画予約設定では、録画すべき番組を番組表から選択するとともに、その番組を録画させるデジタル録画機器を選択設定することも行なわれる。
【００４８】
そして、制御部６１は、ステップＳ４ｄで、録画予約した設定時間に達した場合、予約設定された番組を予約設定されたデジタル録画機器に録画するように、録画動作を実行する。
【００４９】
その後、制御部６１は、ステップＳ４ｅで、番組録画動作が正常に完了したか否かを判別し、正常に完了したと判断された場合（ＹＥＳ）、ステップＳ４ｆで、録画を行なったデジタル録画機器を特定するための機器情報（機器ＩＤ、機器名、共有フォルダ名等）と、その録画番組に関するイベント情報（イベントＩＤ、チャンネル番号、タイトル、内容説明、ジャンル、録画範囲、画質モード等）とを前記不揮発性メモリ５９に記録し、処理を終了（ステップＳ４ｈ）する。
【００５０】
また、上記ステップＳ４ｅで番組録画動作が正常に完了しなかったと判断された場合（ＮＯ）、制御部６１は、ステップＳ４ｇで、番組録画動作が正常に完了しなかった旨のメッセージを映像表示器１４に表示させて、処理を終了（ステップＳ４ｈ）する。
【００５１】
以上の録画動作により、ユーザは、デジタルテレビジョン放送受信装置１１の各端子２１〜２４に接続されている複数のデジタル録画機器を任意に選択して、番組を録画させていくことが可能になる。
【００５２】
図６は、上記の録画動作により、複数のデジタル録画機器に録画された種々の番組の中から、所望の番組を迅速に検索して再生する動作を説明するためのフローチャートを示している。すなわち、処理が開始（ステップＳ６ａ）されると、ユーザは、ステップＳ６ｂで、リモートコントローラ１７のfaceネットキー１７ｊを操作する。
【００５３】
すると、制御部６１は、ステップＳ６ｃで、faceネット（ナビゲーション）を起動させて、図７に示すようなナビゲーションメニューを映像表示器１４に表示させる。このナビゲーションメニューでは、「テレビ」、「録画番組」、「写真」、「インターネット」、「Ｅメール」の５つの項目が選択可能に設けられる。選択された項目は、画面上では他の項目と色を変えて表示されるが、図７では、「テレビ」が選択された状態をハッチングにより示している。
【００５４】
ここで、ユーザは、ステップＳ６ｄで、リモートコントローラ１７のカーソルキー１７ｆを操作して「録画番組」の項目を選択する。すると、制御部６１は、図８にハッチングで示すように、「録画番組」の項目を選択した状態となる。
【００５５】
なお、この「録画番組」の項目が選択された状態においては、この「録画番組」の項目で表示可能となる映像、つまり、最近録画した番組の一覧を示す映像の一部が、ナビゲーションメニューと同一画面に表示される。
【００５６】
この状態で、ユーザが、ステップＳ６ｅで、リモートコントローラ１７の決定キー１７ｇを操作すると、制御部６１は、図９に示すように、最近録画した番組の一覧の全てが映像表示器１４に表示される。この番組一覧では、録画されている番組を示す情報として、タイトル、放送チャンネル、録画日時、曜日、時間、ジャンル等が表示されている。
【００５７】
この最近録画した番組の一覧は、図４で説明した番組の予約録画時に不揮発性メモリ５９に記録された、録画を行なったデジタル録画機器を特定する機器情報と録画番組に関するイベント情報とを参照することで作成される。
【００５８】
この最近録画した番組の一覧では、録画したデジタル録画機器を問わず、最新の録画番組から溯って所定数（例えば最大で３５個）の番組を示す情報を一覧表示することが可能である。図９では、７つの番組が一覧表示されているが、カーソルキー１７ｆを操作することにより表示をスクロールさせて全ての番組一覧を見ることが可能となる。また、リモートコントローラ１７のページ切換キー１７ｉを操作すれば、一覧表示されている７つの番組を一気にスキップさせて切り換えることが可能である。
【００５９】
そして、ユーザが、ステップＳ６ｆで、最近録画した番組の一覧から、リモートコントローラ１７のカーソルキー１７ｆを操作して所望の番組を示す情報を選択し、決定キー１７ｇを操作して決定すると、制御部６１は、ステップＳ６ｇで、不揮発性メモリ５９に記録された情報に基づいて、その選択決定された番組が録画されているデジタル録画機器を特定し、その番組が再生可能であるか否かを判別する。
【００６０】
この判別は、例えば、デジタルテレビジョン放送受信装置１１と再生要求された番組を録画しているデジタル録画機器とが接続されているか否か、再生要求された番組を録画しているデジタル録画機器の電源が投入されているか否か、対象となるデジタル録画機器にその番組がまだ録画されているか否か等々、録画時と再生時とにおける諸条件を総合的に比較して再生可能か否かを判別する。
【００６１】
そして、上記ステップＳ６ｇで再生可能であると判断された場合（ＹＥＳ）、制御部６１は、ステップＳ６ｈで、対象となるデジタル録画機器から再生要求された番組の情報を読み出し、再生するように制御して、処理を終了（ステップＳ６ｊ）する。
【００６２】
また、上記ステップＳ６ｇで再生可能でないと判断された場合（ＮＯ）、制御部６１は、ステップＳ６ｉで、要求された番組の再生が不可能である旨のメッセージを映像表示器１４に表示させて、処理を終了（ステップＳ６ｊ）する。
【００６３】
上記した再生動作によれば、録画したデジタル録画機器を問わず、最新の記録番組から溯って所定数の録画された番組を一覧表示可能なナビゲーション機能を持つようにしたので、複数のデジタル録画機器に録画されている番組をユーザが容易に管理することが可能となる。このため、一覧表示された番組から所望の番組をカーソルキー１７ｆで選択し決定キー１７ｇで決定することにより、迅速に検索して再生することが可能となる。
【００６４】
なお、複数のデジタル録画機器に録画した番組を全て一覧表示することは、接続されるデジタル録画機器の増加や、録画した番組数の増加を考慮すると、実用的でなくなる。この実施の形態のように、最新の録画番組から溯って予め設定された所定数（例えば、最大で３５個程度）までの番組を一覧表示することが、ユーザにとって実質的な支障の生じ難い実用に適した設定となる。
【００６５】
ここで、上記したデジタルテレビジョン放送受信装置１１は、写真再生機能を有している。すなわち、リモートコントローラ１７のfaceネットキー１７ｊを操作して表示させた図７に示すナビゲーションメニューから、「写真」の項目を選択し決定することにより、例えば前記カードホルダ６１に装着された第１のメモリカード１９であるＳＤメモリカードに記録されている複数の写真を、一覧表示させることができる。この場合、表示対象となる写真が記録されているデジタル記録媒体やデジタル記録機器（デジタルカメラ）をユーザが指定する必要がある。その結果、図１０に示すような写真一覧が表示される。
【００６６】
また、このデジタルテレビジョン放送受信装置１１は、ＰＣ２８，３３が接続されている図示しないサーバに対して、定期的にＥメールの着信状況を判別しに行き、着信がある場合、図１１に示すように、映像表示器１４の表示画面上に「新着  ３件」等の着信メッセージを表示させることができる。そして、着信メッセージが表示されている状態では、リモートコントローラ１７の決定キー１７ｇを操作するだけで、図１２に示すように、映像表示器１４にＥメールを開くことができる。
【００６７】
また、図７に示すナビゲーションメニューから、「Ｅメール」の項目を選択し決定することによっても、上記サーバに対してＥメールの送信や着信されたＥメールの読み出しを行なうことができる。
【００６８】
さらに、リモートコントローラ１７のページ切換キー１７ｉを操作することにより、映像表示器１４の画面に表示されている映像を、ページ単位で切り換えることができる。すなわち、リモートコントローラ１７のカーソルキー１７ｆは、画面上でカーソルを上下左右に移動させるために、上下左右の各方向に対応した４つのキーで構成されている。そして、ページ切換キー１７ｉも、４つのカーソルキー１７ｆにそれぞれ対応した４つのキーで構成されている。
【００６９】
つまり、例えば、カーソルを上方向に移動させるためのカーソルキー１７ｆに対応するページ切換キー１７ｉを操作することにより、現在の表示画面がその上側に存在する映像に切り換えられることになる。このページ切り換え機能により、カーソルキー１７ｆを操作して画面をスクロールさせることに比べて、所望の画面を迅速に選択することが可能となる。
【００７０】
また、ページ切換キー１７ｉは、カーソルキー１７ｆに対応させて設置されるので、移動方向を容易に認識することができる。このページ切換キー１７ｉによって切換可能な画面としては、例えば、図５に示した番組表、図９に示した最近録画した番組の一覧表等がある。
【００７１】
さらに、上記リモートコントローラ１７の入力切換キー１７ｂは、アナログ系のビデオ入力端子を切り換えるキーで、＋側と−側とに選択的に操作可能となっている。ビデオ入力端子の切換状況は、図１３に示すように、映像表示器１４の表示画面上にＯＳＤ表示される。
【００７２】
入力切換キー１７ｂを＋側に操作すると、ビデオ１→ビデオ２→ビデオ３→ビデオ４→ビデオ５→ＨＤＭＩ（High Definition Multimedia Interface）→放送→ビデオ１のように正方向に循環的に切り換えられる。また、入力切換キー１７ｂを−側に操作すると、放送→ＨＤＭＩ→ビデオ５→ビデオ４→ビデオ３→ビデオ２→ビデオ１→放送のように逆方向に循環的に切り換えられる。従来では、正方向への循環切り換えしかなかったため、ユーザに不便を強いていたが、逆方向への循環切り換えを付加することにより、操作性を向上させることができる。
【００７３】
また、この入力切換キー１７ｂによるビデオ入力切換は、入力切換キー１７ｂを連続的に押圧操作している状態では、ＯＳＤ表示のみが切り換わり、操作を所定時間停止することにより画面が切り換わる、いわゆる先行入力方式を採用しているので、入力切換キー１７ｂを操作する毎に画面が変わるという煩わしさがなくなる。
【００７４】
さらに、このデジタルテレビジョン放送受信装置１１は、チャンネル、ジャンル、キーワード等の複数の検索条件を含む番組検索条件（お好み情報）をユーザが入力することにより、入力した時点から１週間先までの番組検索条件に対応した番組を自動的に検索し、図１４に示すように、お好み番組一覧として画面表示する。このお好み番組一覧から特定の番組を選択して録画予約設定することも可能である。
【００７５】
このお好み番組一覧は、図７に示したナビゲーションメニューの「テレビ」の項目をカーソルキー１７ｆで選択し決定キー１７ｇで決定することにより表示される。そして、このお好み番組の検索では、それぞれがチャンネル、ジャンル、キーワードの３つの検索条件を含む４種類の番組検索条件Ａ〜Ｄを設定することができる。
【００７６】
例えば、番組検索条件Ａでは、ジャンルがサッカー、キーワードがワールド、チャンネルがＮＨＫであり、番組検索条件Ｂでは、ジャンルが野球、キーワードが日本、チャンネルが日本テレビというように設定できる。そして、お好み番組一覧では、図１４に示すお好み番組一覧の中で右側の列に示すように、検索した各番組に対して、番組検索条件Ａ〜Ｄのどれに対応して検索されたかが示されるようになっている。番組検索条件Ａ〜Ｄが重なった番組に対しては、Ａ〜Ｄが複数個表示される。
【００７７】
なお、上記したお好み番組の検索動作では、放送される番組からお好み番組検索条件Ａ〜Ｄに対応する番組を検索することについて述べたが、例えばＣＡＴＶやネットワーク等を介して配信される番組に対しても、電子番組表を作成可能な番組情報が取得できれば、お好み番組検索条件Ａ〜Ｄに対応する番組を検索することが可能である。
【００７８】
また、このデジタルテレビジョン放送受信装置１１は、図５に示した番組表の表示状態で、リモートコントローラ１７の黄色のカラーキー１７ｍを操作することにより、図１５に示すような、番組検索画面を表示する。この番組検索画面では、ジャンル、キーワード、日付、チャンネルの４つの検索条件を入力することにより、入力した時点から１週間先までの番組を自動的に検索して一覧表示することができる。
【００７９】
さらに、このデジタルテレビジョン放送受信装置１１は、図９に示した最近録画した番組の一覧表の右側の画面をスクロールさせることにより、図１６に示すように、接続機器の一覧画面を表示させることができる。この接続機器の一覧画面では、各端子２１〜２４に接続されている機器を全て（但し、ブロードバンドルータ３１が接続されている場合はそこまで）一覧表示することができる。
【００８０】
この機器一覧において、第１のＬＡＮ端子２１に対応するＬＡＮ１には、それがＬＡＮ対応ＨＤＤ専用ポートであることを示すアイコンが付され、第２のＬＡＮ端子２２に対応するＬＡＮ２には、それが一般的なＬＡＮ対応ポートであることを示すアイコンが表示されている。
【００８１】
そして、この接続機器の一覧表示画面から、所望のデジタル録画機器（この場合、ＡＶ−ＨＤＤ４１）をカーソルキー１７ｆで選択し決定キー１７ｇで決定すると、図１７に示すように、その選択決定されたデジタル録画機器（ＡＶ−ＨＤＤ４１）に録画されている番組の一覧がライブラリとして表示される。
【００８２】
また、このライブラリ画面の表示状態で、リモートコントローラ１７の黄色のカラーキー１７ｍを操作すると、後述する図３１に示すような録画番組検索画面が表示される。そして、この録画番組検索画面で、ジャンル、キーワード、日付、チャンネルの４つの検索条件を入力すると、図１８に示すように、選択決定されたデジタル録画機器（ＡＶ−ＨＤＤ４１）に録画されている番組の中から、検索条件に対応した番組が検索されて一覧表示される。
【００８３】
ここで、上記したデジタルテレビジョン放送受信装置１１の有する予約機能について説明する。この予約機能には、放送予定されている番組を指定して予約を行なう番組指定予約と、チャンネル及び日時を指定して予約を行なう日時指定予約との２種類がある。
【００８４】
また、番組指定予約には、指定した番組を指定した録画機器またはメモリカード等の記録媒体に録画する録画予約と、指定した番組の選局のみを行なう視聴予約とがある。さらに、日時指定予約にも、指定したチャンネル及び日時の放送内容を指定した録画機器またはメモリカード等の記録媒体に録画する録画予約と、指定したチャンネル及び日時の放送の選局のみを行なう視聴予約とがある。
【００８５】
図１９は、上記デジタルテレビジョン放送受信装置１１に対して、番組指定予約を設定する動作を説明するためのフローチャートを示している。この動作は、ユーザがリモートコントローラ１７の番組表キー１７ｈを操作することにより、開始（ステップＳ１９ａ）される。
【００８６】
すると、制御部６１は、ステップＳ１９ｂで、放送信号から予め取得しておいたＥＰＧ（Electronic Program Guide）情報に基づいて、図２９（ａ）に示すような電子番組表を映像表示器１４に表示させる。
【００８７】
これにより、ユーザは、電子番組表の中から所望の番組を選択設定することができる。この選択設定は、リモートコントローラ１７のカーソルキー１７ｆを操作して所望の番組を選択し、決定キー１７ｇを操作することにより実行される。
【００８８】
このため、制御部６１は、ステップＳ１９ｃで、電子番組表の中から所望の番組が選択設定されたことを検知すると、ステップＳ１９ｄで、図２０（ｂ）に示すような予約選択画面を表示させる。
【００８９】
この予約選択画面では、先に選択設定した番組に対する放送チャンネル、放送日、内容の概略説明等が表示され、録画予約か視聴予約かをユーザに選択させることができる。この選択も、リモートコントローラ１７のカーソルキー１７ｆを操作して録画予約か視聴予約かを選択し、決定キー１７ｇを操作することにより実行される。
【００９０】
そして、制御部６１は、ステップＳ１９ｅで、録画予約及び視聴予約のいずれが選択されたかを判別し、視聴予約が選択されたと判断された場合、ステップＳ１９ｆで、視聴予約のために設定された各情報を不揮発性メモリ６４に格納して視聴予約設定を完了し、処理を終了（ステップＳ１９ｉ）する。このように視聴予約が設定されることにより、選択された番組が自動的に選局され視聴に供されるようになる。
【００９１】
また、上記ステップＳ１９ｅで録画予約が選択されたと判断された場合、制御部６１は、ステップＳ１９ｇで、図２０（ｃ）に示すような録画予約設定画面を表示させる。この録画予約設定画面では、先に選択設定した番組を録画予約するか否かの選択、録画するデジタル録画機器または記録媒体の指定等を行なうことができる。
【００９２】
そして、制御部６１は、録画予約設定画面において録画予約が要求され種々の必要項目が設定された場合に、ステップＳ１９ｈで、録画予約のために設定された各情報を不揮発性メモリ６４に格納して録画予約設定を完了し、処理を終了（ステップＳ１９ｉ）する。このように録画予約が設定されることにより、選択された番組が、指定されたデジタル録画機器または記録媒体に自動的に録画されるようになる。
【００９３】
図２１は、上記デジタルテレビジョン放送受信装置１１に対して、日時指定予約を設定する動作を説明するためのフローチャートを示している。この動作は、ユーザがリモートコントローラ１７のメニューキー１７ｐを操作して映像表示器１４に表示させた設定メニューの階層から、日時指定予約の項目を選択設定することにより開始（ステップＳ２１ａ）される。
【００９４】
すると、制御部６１は、ステップＳ２１ｂで、図２２（ａ）に示すようなチャンネル設定画面を表示させる。このチャンネル設定画面では、ＢＳデジタル放送チャンネル及び１１０度ＣＳデジタル放送に属するチャンネルを設定することができる。
【００９５】
そして、制御部６１は、チャンネル設定画面でチャンネルが設定されたことを検知すると、ステップＳ２１ｃで、図２２（ｂ）に示すような開始・終了時刻設定画面を表示させる。この開始・終了時刻設定画面では、予約する日と、開始時刻及び終了時刻とを設定することができる。
【００９６】
その後、制御部６１は、開始・終了時刻設定画面で必要な項目が設定されたことを検知すると、ステップＳ２１ｄで、図２２（ｃ）に示すような予約選択画面を表示させる。この予約選択画面では、録画予約か視聴予約かをユーザに選択させることができる。
【００９７】
そして、制御部６１は、ステップＳ２１ｅで、録画予約及び視聴予約のいずれが選択されたかを判別し、視聴予約が選択されたと判断された場合、ステップＳ２１ｆで、視聴予約のために設定された各情報を不揮発性メモリ６４に格納して視聴予約設定を完了し、処理を終了（ステップＳ２１ｉ）する。このように視聴予約が設定されることにより、指定されたチャンネル及び日時の放送が自動的に選局され視聴に供されるようになる。
【００９８】
また、上記ステップＳ２１ｅで録画予約が選択されたと判断された場合、制御部６１は、ステップＳ２１ｇで、図２２（ｄ）に示すような録画予約設定画面を表示させる。この録画予約設定画面では、録画予約するか否かの選択、録画するデジタル録画機器または記録媒体の指定等を行なうことができる。
【００９９】
そして、制御部６１は、録画予約設定画面において録画予約が要求され種々の必要項目が設定された場合に、ステップＳ２１ｈで、録画予約のために設定された各情報を不揮発性メモリ６４に格納して録画予約設定を完了し、処理を終了（ステップＳ２１ｉ）する。このように録画予約が設定されることにより、指定されたチャンネル及び日時の放送が指定されたデジタル録画機器または記録媒体に自動的に録画されるようになる。
【０１００】
また、このデジタルテレビジョン放送受信装置１１は、現在視聴している番組を終了時刻まで、録画機器または記録媒体を指定して録画することが可能な視聴番組録画機能を有している。
【０１０１】
図２３は、この視聴番組録画機能による録画動作を説明するためのフローチャートを示している。この動作は、ユーザがリモートコントローラ１７のクイックキー１７ｅを操作して映像表示器１４に表示させたクイックメニューから、視聴番組録画の項目を選択設定することにより開始（ステップＳ２３ａ）される。
【０１０２】
すると、制御部６１は、ステップＳ２３ｂで、図２４に示すような録画設定画面を映像表示器１４に表示させる。このこの録画設定画面では、録画するか否かの選択、録画するデジタル録画機器または記録媒体の指定等を行なうことができる。
【０１０３】
そして、制御部６１は、ステップＳ２３ｃで、録画設定画面において録画が要求され種々の必要項目が設定されたことを検知した場合に、ステップＳ２３ｄで、指定されたデジタル録画機器または記録媒体に現在選局している番組をその終了時刻まで録画させて、処理を終了（ステップＳ２３ｅ）する。
【０１０４】
以上に述べた録画予約機能及び視聴番組録画機能により、ユーザは、デジタルテレビジョン放送受信装置１１の各端子２１〜２４に接続されている複数のデジタル録画機器、または、カードホルダ６６に装着された第１のメモリカード１９等を任意に選択して、番組を録画させていくことが可能になる。
【０１０５】
図２５は、上記した録画予約機能及び視聴番組録画機能により録画が実行された後の動作を説明するためのフローチャートを示している。すなわち、この動作が開始（ステップＳ２５ａ）されると、制御部６１は、ステップＳ２５ｂで、録画動作が終了したことを検知し、ステップＳ２５ｃで、録画動作が正常に完了したか否かを判別する。
【０１０６】
そして、正常に完了したと判断された場合（ＹＥＳ）、ステップＳ２５ｄで、録画を行なったデジタル録画機器または記録媒体を特定するための機器情報（機器ＩＤ、機器名、共有フォルダ名等）と、その録画番組に関するイベント情報（イベントＩＤ、チャンネル番号、タイトル、内容説明、ジャンル、録画範囲、画質モード等）とを不揮発性メモリ６４に格納し、処理を終了（ステップＳ２５ｆ）する。
【０１０７】
また、上記ステップＳ２５ｃで録画動作が正常に完了しなかったと判断された場合（ＮＯ）、制御部５６は、ステップＳ２５ｅで、録画動作が正常に完了しなかった旨のメッセージを映像表示器１４に表示させて、処理を終了（ステップＳ２５ｆ）する。
【０１０８】
また、このデジタルテレビジョン放送受信装置１１は、指定したデジタル録画機器または記録媒体に録画を実行しているときだけ、出力端子５９，６０からアナログ映像信号及びアナログ音声信号を出力することができるように設定可能となっている。
【０１０９】
この設定は、ユーザがリモートコントローラ１７のメニューキー１７ｐを操作して映像表示器１４に表示させた設定メニューの階層から、図２６に示すような出力設定画面を選択し、この出力設定画面上で「設定する」の項目を選択することにより実行される。
【０１１０】
図２７は、上記した出力設定が行なわれている場合の、録画予約機能による録画時の動作を説明するためのフローチャートを示している。この動作が開始（ステップＳ２７ａ）されると、制御部６１は、ステップＳ２７ｂで、電源が投入されて例えばいずれかの放送が選局されて視聴に供されている状態等において、出力端子５９，６０からのアナログ映像信号及びアナログ音声信号の出力を停止させている。
【０１１１】
そして、制御部６１は、ステップＳ２７ｃで、録画予約による録画開始時間に達したか否かを判別し、録画開始時間に達したと判断された場合（ＹＥＳ）、ステップＳ２７ｄで、出力端子５９，６０からアナログ映像信号及びアナログ音声信号が出力されるように制御する。
【０１１２】
その後、制御部６１は、ステップＳ２７ｅで、録画予約による録画終了時間に達したか否かを判別し、録画終了時間に達したと判断された場合（ＹＥＳ）、ステップＳ２７ｆで、再び、電源投入状態における出力端子５９，６０からのアナログ映像信号及びアナログ音声信号の出力を停止させて、処理を終了（ステップＳ２７ｇ）する。
【０１１３】
図１３は、上記した出力設定が行なわれている場合の、視聴番組録画機能による録画時の動作を説明するためのフローチャートを示している。この動作が開始（ステップＳ２８ａ）されると、制御部６１は、ステップＳ２８ｂで、電源が投入されて例えばいずれかの放送が選局されて視聴に供されている状態等において、出力端子５９，６０からのアナログ映像信号及びアナログ音声信号の出力を停止させている。
【０１１４】
そして、制御部６１は、ステップＳ２８ｃで、視聴番組の録画が開始されたことを検知すると、ステップＳ２８ｄで、出力端子５９，６０からアナログ映像信号及びアナログ音声信号が出力されるように制御する。
【０１１５】
その後、制御部６１は、ステップＳ２８ｅで、録画が終了したか否かを判別し、終了したと判断された場合（ＹＥＳ）、ステップＳ２８ｆで、再び、電源投入状態における出力端子５９，６０からのアナログ映像信号及びアナログ音声信号の出力を停止させて、処理を終了（ステップＳ２８ｇ）する。
【０１１６】
また、このデジタルテレビジョン放送受信装置１１は、前述したように、上記した録画予約機能及び視聴番組録画機能により、各種のデジタル録画機器または記録媒体に録画された種々の番組の中から、所望の番組を検索する録画番組検索機能を有している。
【０１１７】
図２９は、この録画番組検索機能による検索動作を説明するためのフローチャートを示している。この動作は、ユーザがリモートコントローラ１７のfaceネットキー１７ｊを操作することにより開始（ステップＳ２９ａ）される。
【０１１８】
すなわち、制御部６１は、ステップＳ２９ｂで、faceネットキー１７ｊの操作を検知すると、ステップＳ２９ｃで、faceネット（ナビゲーション）を起動させ、先に図８に示したようなナビゲーション画面を映像表示器１４に表示させる。
【０１１９】
このナビゲーション画面では、「テレビ」、「録画番組」、「写真」、「インターネット」、「Ｅメール」の５つの項目が選択可能に表示される。この選択は、リモートコントローラ１７のカーソルキー１７ｆを操作して所望の項目を選択し、決定キー１７ｇを操作することにより実行される。選択された項目は、画面上で他の項目と色を変えて表示されるが、図８では「録画番組」が選択された状態をハッチングにより示している。
【０１２０】
ここで、ユーザが「録画番組」の項目を選択し、さらにその中に含まれる「機器選択」の項目を選択設定すると、制御部６１は、ステップＳ２９ｄで、先に図１６に示したような機器選択画面を表示させる。
【０１２１】
この機器選択画面では、第１及び第２のＬＡＮ端子２１，２２、ＵＳＢ端子２３、ｉ．Link端子２４に接続されている各種の機器、または、カードホルダ６６，６８に装着されているメモリカード１９，２０等が、制御部６１の認識している最新の情報に基づいて一覧表示される。このため、ユーザは、機器選択画面から所望の機器またはメモリカードを選択することができる。
【０１２２】
そして、制御部６１は、機器選択画面から特定のデジタル録画機器（例えば第１のＬＡＮ端子２１に接続されたＮＡＳであるＨＤＤ２５）が選択されたことを検知した場合、ステップＳ２９ｅで、ＨＤＤ２５に問い合わせて、図３０に示すようなライブラリ画面を表示させる。
【０１２３】
このライブラリ画面には、ＨＤＤ２５に録画されている全番組の一覧が表示される。この場合、各番組に対して、タイトル、チャンネル、録画日時、ジャンル、画質等が表示されている。また、このライブラリ画面には、現在録画中の番組も「録画中」のアイコンが付されて表示可能である。
【０１２４】
このライブラリ画面の場合、一画面には最大で６つの番組が表示されるが、それ以上の数の番組が録画されている場合には、リモートコントローラ１７のカーソルキー１７ｆやページ切換キー１７ｉを操作して、上下に移動させることで全ての番組を表示させることができる。
【０１２５】
なお、ＨＤＤ２５には、番組をフォルダ形式で格納することができる。例えば「スポーツ関係」というフォルダを作成し、そのフォルダの下に「オリンピック」、「町内運動会」等のフォルダを作成し、「オリンピック」のフォルダの下にさらに「マラソン」、「水泳」等のフォルダを作成するというように、階層的に録画番組を管理することが可能となっている。図３０に示すライブラリ画面では、フォルダが作成されている場合、その最上階のフォルダ（図３０では「スポーツ関係」）が表示されるようになっている。
【０１２６】
そして、制御部６１は、ライブラリ画面の表示状態でリモートコントローラ１７の黄色のカラーキー１７ｍが操作されたことを検知した場合、ステップＳ２９ｆで、図３１に示すような録画番組検索画面を表示させる。
【０１２７】
この録画番組検索画面では、「ジャンル」、「キーワード」、「日付」、「チャンネル」、「検索場所」の５つの検索条件を設定可能となっている。そして、制御部６１は、ライブラリ画面に表示される全番組、つまり、ＨＤＤ２５に録画されている全番組の中から、５つの検索条件のうちの少なくともいずれか１つに該当する番組を検索する。
【０１２８】
なお、５つの検索条件のうちの全てでない複数種類の組み合わせ、つまり、いずれか２つ、いずれか３つ、または、いずれか４つの論理積や論理和に該当する番組を検索するように設定することも可能である。また、５つの検索条件全ての論理積や論理和に該当する番組を検索するように設定することも可能である。これらの設定は、ユーザの操作によって実現される。
【０１２９】
すなわち、制御部６１は、ユーザが録画番組検索画面の中から検索条件として「ジャンル」を選択すると、ステップＳ２９ｇで、図３２に示すようなジャンル設定画面を表示させる。
【０１３０】
このジャンル設定画面では、「映画」、「洋画」、「邦画」、「スポーツ」等々の複数のジャンルを示す項目が一覧表示され、ユーザが任意のジャンルに対応する項目を選択することができるようになっており、設定されたジャンルに対応する番組検索が可能となっている。なお、「指定しない」の項目を選択することにより、ジャンルを検索条件として指定しないことも可能である。
【０１３１】
ジャンルの設定が正しく終了した場合、または、リモートコントローラ１７の戻るキー１７ｋが操作された場合、再び、図３１に示した録画番組検索画面に戻る。そして、制御部６１は、ユーザが録画番組検索画面の中から検索条件として「キーワード」を選択すると、ステップＳ２９ｈで、図３３に示すようなキーワード設定画面を表示させる。
【０１３２】
このキーワード設定画面では、ユーザが最大で１４個のキーワードを設定可能となっており、例えば設定されたキーワードの論理和に基づいた番組検索が可能となっている。なお、「指定しない」の項目を選択することにより、キーワードを検索条件として指定しないことも可能である。
【０１３３】
キーワードの設定が正しく終了した場合、または、リモートコントローラ１７の戻るキー１７ｋが操作された場合、再び、図３１に示した録画番組検索画面に戻る。そして、制御部６１は、ユーザが録画番組検索画面の中から検索条件として「日付」を選択すると、ステップＳ２９ｉで、図３４に示すような日付設定画面を表示させる。
【０１３４】
この日付設定画面では、ユーザが、特定の日、または、何年何月何日から何年何月何日までのような期間を設定可能となっており、設定された日または期間内に録画された番組を検索可能となっている。
【０１３５】
日付の設定が正しく終了した場合、または、リモートコントローラ１７の戻るキー１７ｋが操作された場合、再び、図３１に示した録画番組検索画面に戻る。そして、制御部６１は、ユーザが録画番組検索画面の中から検索条件として「チャンネル」を選択すると、ステップＳ２９ｊで、図３５に示すようなチャンネル設定画面を表示させる。
【０１３６】
このチャンネル設定画面では、地上デジタル放送等の放送の形態毎にチャンネルを設定可能となっており、設定されたチャンネルで録画された番組を検索可能となっている。
【０１３７】
チャンネルの設定が正しく終了した場合、または、リモートコントローラ１７の戻るキー１７ｋが操作された場合、再び、図３１に示した録画番組検索画面に戻る。そして、制御部６１は、ユーザが録画番組検索画面の中から検索条件として「検索場所」を選択すると、ステップＳ２９ｋで、図３６に示すような検索場所設定画面を表示させる。
【０１３８】
この検索場所設定画面では、番組検索を行なうフォルダを指定するための検索場所を、階層に無関係に設定可能となっており、設定された１または複数のフォルダ内での、上記ジャンル、キーワード、日付、チャンネルを条件とした番組検索を可能としている。
【０１３９】
検索場所の設定が正しく終了した場合、または、リモートコントローラ１７の戻るキー１７ｋが操作された場合、再び、図３１に示した録画番組検索画面に戻る。
【０１４０】
以上のようにして、５つの検索条件がそれぞれ設定可能となる。５つの検索条件としては、上記のように、ジャンル、キーワード、日付、チャンネル、検索場所の順序で設定する必要はなく、いずれの条件から設定することも可能である。
【０１４１】
このようにして５つの検索条件が設定された状態で、ユーザが録画番組検索画面の中から「検索開始」の項目を選択すると、制御部６１は、ステップＳ２９ｌで、ＨＤＤ２５に録画された全番組に対して、５つの検索条件に基づいた番組検索を実行する。この番組検索は、ＨＤＤ２５に問い合わせることによって実現される。そして、番組検索が終了すると、制御部６１は、図３７に示すような録画番組検索結果の画面を表示させ、処理を終了（ステップＳ２９ｍ）する。
【０１４２】
この録画番組検索結果の画面では、指定されたデジタル録画機器または記録媒体（この場合ＨＤＤ２５）、５つの検索条件、検索された番組の一覧が表示される。
【０１４３】
ここで、上記デジタルテレビジョン放送受信装置１１は、上記のようにして表示された録画番組検索結果の画面から、リモートコントローラ１７のカーソルキー１７ｆを操作して所望の番組を選択し、決定キー１７ｇを操作することにより、その番組を再生することができる機能を有している。
【０１４４】
図３８は、選択された番組を再生する動作を説明するためのフローチャートを示している。すなわち、この動作が開始（ステップＳ３８ａ）されると、制御部６１は、ステップＳ３８ｂで、録画番組検索結果の画面から選択された番組を検知して、ステップＳ３８ｃで、その選択された番組が録画されているデジタル録画機器からその番組が再生可能であるか否かを判別する。
【０１４５】
この判別は、例えば、記録された番組のフォーマットがデジタルテレビジョン放送受信装置１１での映像表示に対応しているか否か、記録された番組ファイルが破壊されているか否か、等々がある。
【０１４６】
そして、上記ステップＳ３８ｃで再生可能であると判断された場合（ＹＥＳ）、制御部６１は、ステップＳ３８ｄで、対象となるデジタル録画機器から再生要求された番組の情報を読み出し、再生するように制御して、処理を終了（ステップＳ３８ｆ）する。
【０１４７】
また、上記ステップＳ３８ｃで再生可能でないと判断された場合（ＮＯ）、制御部６１は、ステップＳ３８ｅで、要求された番組の再生が不可能である旨のメッセージを映像表示器１４に表示させて、処理を終了（ステップＳ３８ｆ）する。
【０１４８】
上記した録画番組の検索動作によれば、接続されたデジタル録画機器またはメモリカード等の記録媒体を指定し、ジャンル、キーワード、日付、チャンネル、検索場所等の検索条件を設定することにより、指定された録画機器または記録媒体から検索条件に対応した録画番組を検索可能としたので、ネットワーク接続された複数の録画機器または記録媒体から所望の録画番組を迅速に検索することが可能となる。
【０１４９】
また、上記した検索動作では、ネットワーク接続されている複数の録画機器や記録媒体から特定の録画機器または記録媒体を指定し、その指定した録画機器または記録媒体の中から検索条件に基づいて番組を検索するようにしているが、これに限らず、例えば、ネットワーク上に全ての録画機器や記録媒体を一元管理するサーバを構築し、接続されている全ての録画機器や記録媒体を対象として検索条件に基づいた番組検索を行なえるようにすることも可能である。
【０１５０】
次に、図３９は、このデジタルテレビジョン放送受信装置１１が、上記した第１及び第２のＬＡＮ端子２１，２２に接続された、ネットワーク接続型のデジタル録画機器であるＮＡＳ（図１の場合、ＨＤＤ２５，２７）を自動的に検索して登録する動作を説明するためのフローチャートを示している。
【０１５１】
この動作が開始（ステップＳ３９ａ）されると、制御部６１は、ステップＳ３９ｂで、ＮＡＳ自動登録を実行するための所定のトリガが与えられたことを検出する。ＮＡＳ自動登録を実行するために与えられる所定のトリガとしては、例えば、デジタルテレビジョン放送受信装置１１の電源をオンしたこと（リモートコントローラ１７の電源キー１７ａを操作したこと）、ＮＡＳを登録するための設定メニューを起動したこと、第１及び第２のＬＡＮ端子２１，２２に接続されたＮＡＳに対して再生動作または記録動作の実行を要求したこと、等々がある。
【０１５２】
そして、制御部６１は、ステップＳ３９ｃで、第１及び第２のＬＡＮ端子２１，２２に対してＮＡＳの検索を行なった後、ステップＳ３９ｄで、ＮＡＳが存在しているか否かを判別し、存在していないと判断された場合（ＮＯ）、処理を終了（ステップＳ３９ｇ）する。
【０１５３】
また、ステップＳ３９ｄでＮＡＳが存在していると判断された場合（ＹＥＳ）、制御部６１は、ステップＳ３９ｅで、登録最大数を超過したか否かを判別し、超過したと判断された場合（ＹＥＳ）、処理を終了（ステップＳ３９ｇ）する。
【０１５４】
一方、ステップＳ３９ｅで登録最大数を超過していないと判断された場合（ＮＯ）、制御部６１は、ステップＳ３９ｆで、存在の検出されたＮＡＳを不揮発性メモリ６４に登録して、処理を終了（ステップＳ３９ｇ）する。
【０１５５】
この動作によれば、ＮＡＳ自動登録を実行するための所定のトリガが与えられたとき、自動的に第１及び第２のＬＡＮ端子２１，２２に対してＮＡＳの検索を行ない、ＮＡＳが存在している場合登録を行なうようにしている。このため、ユーザが設定メニューを開いて、ネットワーク上からＮＡＳを検索して登録する必要がなくなり、ユーザ設定を軽減することが可能となる。
【０１５６】
そして、このように登録されたＮＡＳに対して、デジタルテレビジョン放送受信装置１１は、例えば、受信したテレビジョン放送番組、第１のメモリカード１９やデジタルカメラ３７等に保存された、ＪＰＥＧ（Joint Photographic Experts Group）規格に準拠した形態で符号化されているデジタル映像信号（写真）等を記録させるように制御することができる。
【０１５７】
図４０は、デジタルテレビジョン放送受信装置１１が、第１のＬＡＮ端子２１［この実施の形態で説明するデジタルテレビジョン放送受信装置１１では、ＨＤＤ専用ポートとして使用されるが、ＮＡＳのみが接続されるＮＡＳ専用ポートとして使用してもよい］に接続されたＮＡＳ（図１の場合、ＨＤＤ２５）を自動登録する動作を説明するためのフローチャートを示している。
【０１５８】
この動作が開始（ステップＳ４０ａ）されると、制御部６１は、ステップＳ４０ｂで、ＮＡＳ自動登録を実行するための所定のトリガが与えられたことを検出する。ＮＡＳ自動登録を実行するために与えられる所定のトリガとしては、例えば、デジタルテレビジョン放送受信装置１１の電源をオンしたこと（リモートコントローラ１７の電源キー１７ａを操作したこと）、ＮＡＳを登録するための設定メニューを起動したこと、第１のＬＡＮ端子２１（ＮＡＳ専用ポート）に接続されたＮＡＳに対して再生動作または記録動作の実行を要求したこと、等々がある。
【０１５９】
そして、制御部６１は、ステップＳ４０ｃで、第１のＬＡＮ端子２１に対してＮＡＳの検索を行なった後、ステップＳ４０ｄで、ＮＡＳが存在しているか否かを判別し、存在していないと判断された場合（ＮＯ）、処理を終了（ステップＳ４０ｇ）する。
【０１６０】
また、ステップＳ４０ｄでＮＡＳが存在していると判断された場合（ＹＥＳ）、制御部６１は、ステップＳ４０ｅで、登録最大数を超過したか否かを判別し、超過したと判断された場合（ＹＥＳ）、処理を終了（ステップＳ４０ｇ）する。
【０１６１】
一方、ステップＳ４０ｅで登録最大数を超過していないと判断された場合（ＮＯ）、制御部６１は、ステップＳ４０ｆで、存在の検出されたＮＡＳを不揮発性メモリ６４に登録して、処理を終了（ステップＳ４０ｇ）する。
【０１６２】
この動作によれば、ＮＡＳ自動登録を実行するための所定のトリガが与えられたとき、自動的に第１のＬＡＮ端子２１に対してＮＡＳの検索を行ない、ＮＡＳが存在している場合登録を行なうようにしている。このため、ユーザが設定メニューを開いて、ネットワーク上からＮＡＳを検索して登録する必要がなくなり、ユーザ設定を軽減することが可能となる。
【０１６３】
図４１は、ＮＡＳ内におけるディレクトリ構造の一例を示している。このディレクトリ構造は、階層化形態となっており、階層の最上位にあるルートディレクトリ（ＲＯＯＴ）の下に複数（図示の場合は２つ）の共有フォルダが作成されている。
【０１６４】
この場合、共有フォルダには、ネットワークを介して不特定多数のユーザが使用可能となるguestユーザ用の共有フォルダと、パスワードを入力したユーザのみしか使用することのできない共有フォルダとがある。
【０１６５】
図４２は、第１及び第２のＬＡＮ端子２１，２２に接続されたＮＡＳを自動登録する際、検索されたＮＡＳにguestユーザ用の共有フォルダが存在する場合に、その共有フォルダを自動登録するようにした動作を説明するためのフローチャートを示している。
【０１６６】
この動作が開始（ステップＳ４２ａ）されると、制御部６１は、ステップＳ４２ｂで、ＮＡＳ自動登録を実行するための所定のトリガが与えられたことを検出する。このトリガとしては、図３９のフローチャートで説明したものと同じである。
【０１６７】
そして、制御部６１は、ステップＳ４２ｃで、第１及び第２のＬＡＮ端子２１，２２に対してＮＡＳの検索を行なった後、ステップＳ４２ｄで、ＮＡＳが存在しているか否かを判別し、存在していないと判断された場合（ＮＯ）、処理を終了（ステップＳ４２ｉ）する。
【０１６８】
また、ステップＳ４２ｄでＮＡＳが存在していると判断された場合（ＹＥＳ）、制御部６１は、ステップＳ４２ｅで、存在の検出されたＮＡＳからguestユーザ用の共有フォルダを検索した後、ステップＳ４２ｆで、guestユーザ用の共有フォルダＮＡＳが存在しているか否かを判別し、存在していないと判断された場合（ＮＯ）、処理を終了（ステップＳ４２ｉ）する。
【０１６９】
一方、ステップＳ４２ｆでguestユーザ用の共有フォルダＮＡＳが存在していると判断された場合（ＹＥＳ）、制御部６１は、ステップＳ４２ｇで、登録最大数を超過したか否かを判別し、超過したと判断された場合（ＹＥＳ）、処理を終了（ステップＳ４２ｉ）する。
【０１７０】
また、ステップＳ４２ｇで登録最大数を超過していないと判断された場合（ＮＯ）、制御部６１は、ステップＳ４２ｈで、存在の検出されたＮＡＳとその中のguestユーザ用の共有フォルダとを不揮発性メモリ６４に登録して、処理を終了（ステップＳ４２ｉ）する。
【０１７１】
この動作によれば、ＮＡＳとその中のguestユーザ用の共有フォルダとを自動登録するようにしたので、デジタルテレビジョン放送受信装置１１のユーザは、ＮＡＳの共有フォルダに情報を記録して管理することができるので、ユーザにとっての取り扱いをより一層便利にすることができる。
【０１７２】
図４３は、第１のＬＡＮ端子２１（ＮＡＳ専用ポート）に接続されたＮＡＳを自動登録する際、検索されたＮＡＳにguestユーザ用の共有フォルダが存在する場合に、その共有フォルダを自動登録するようにした動作を説明するためのフローチャートを示している。
【０１７３】
この動作が開始（ステップＳ４３ａ）されると、制御部６１は、ステップＳ４３ｂで、ＮＡＳ自動登録を実行するため野所定のトリガが与えられたことを検出する。このトリガとしては、図４０のフローチャートで説明したものと同じである。
【０１７４】
そして、制御部６１は、ステップＳ４３ｃで、第１のＬＡＮ端子２１に対してＮＡＳの検索を行なった後、ステップＳ４３ｄで、ＮＡＳが存在しているか否かを判別し、存在していないと判断された場合（ＮＯ）、処理を終了（ステップＳ４３ｉ）する。
【０１７５】
また、ステップＳ４３ｄでＮＡＳが存在していると判断された場合（ＹＥＳ）、制御部６１は、ステップＳ４３ｅで、存在の検出されたＮＡＳからguestユーザ用の共有フォルダを検索した後、ステップＳ４３ｆで、guestユーザ用の共有フォルダＮＡＳが存在しているか否かを判別し、存在していないと判断された場合（ＮＯ）、処理を終了（ステップＳ４３ｉ）する。
【０１７６】
一方、ステップＳ４３ｆでguestユーザ用の共有フォルダＮＡＳが存在していると判断された場合（ＹＥＳ）、制御部６１は、ステップＳ４３ｇで、登録最大数を超過したか否かを判別し、超過したと判断された場合（ＹＥＳ）、処理を終了（ステップＳ４３ｉ）する。
【０１７７】
また、ステップＳ４３ｇで登録最大数を超過していないと判断された場合（ＮＯ）、制御部６１は、ステップＳ４３ｈで、存在の検出されたＮＡＳとその中のguestユーザ用の共有フォルダとを不揮発性メモリ６４に登録して、処理を終了（ステップＳ４３ｉ）する。
【０１７８】
この動作によれば、ＮＡＳとその中のguestユーザ用の共有フォルダとを自動登録するようにしたので、デジタルテレビジョン放送受信装置１１のユーザは、ＮＡＳの共有フォルダに情報を記録して管理することができるので、ユーザにとっての取り扱いをより一層便利にすることができる。
【０１７９】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【０１８０】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置がデジタル記録機器に番組を記録する動作を説明するために示すフローチャート。
【図５】同実施の形態におけるデジタルテレビジョン放送受信装置の記録動作時に表示される番組表の一例を説明するために示す図。
【図６】同実施の形態におけるデジタルテレビジョン放送受信装置がデジタル記録機器から番組を再生する動作を説明するために示すフローチャート。
【図７】同実施の形態におけるデジタルテレビジョン放送受信装置の再生動作時に表示されるナビゲーションメニューの一例を説明するために示す図。
【図８】同実施の形態におけるナビゲーションメニューから録画番組の項目を選択した状態を説明するために示す図。
【図９】同実施の形態におけるナビゲーションメニューから得られる最近録画した番組の一覧表示画面の一例を説明するために示す図。
【図１０】同実施の形態におけるデジタルテレビジョン放送受信装置の写真再生機能を説明するために示す図。
【図１１】同実施の形態におけるデジタルテレビジョン放送受信装置のＥメール着信画面の一例を説明するために示す図。
【図１２】同実施の形態におけるデジタルテレビジョン放送受信装置のＥメール表示画面の一例を説明するために示す図。
【図１３】同実施の形態におけるデジタルテレビジョン放送受信装置のアナログ系の入力切換画面の一例を説明するために示す図。
【図１４】同実施の形態におけるデジタルテレビジョン放送受信装置のお好み番組一覧表示画面の一例を説明するために示す図。
【図１５】同実施の形態におけるデジタルテレビジョン放送受信装置の番組検索画面の一例を説明するために示す図。
【図１６】同実施の形態におけるデジタルテレビジョン放送受信装置の接続機器一覧表示画面の一例を説明するために示す図。
【図１７】同実施の形態におけるデジタルテレビジョン放送受信装置の特定の接続機器に記録された番組の一覧表示画面の一例を説明するために示す図。
【図１８】同実施の形態におけるデジタルテレビジョン放送受信装置の特定の接続機器に記録された番組のうち番組検索された番組の一覧表示画面の一例を説明するために示す図。
【図１９】同実施の形態におけるデジタルテレビジョン放送受信装置に番組指定予約を設定する動作を説明するために示すフローチャート。
【図２０】同実施の形態におけるデジタルテレビジョン放送受信装置に番組指定予約を設定する際の各種設定画面の一例を説明するために示す図。
【図２１】同実施の形態におけるデジタルテレビジョン放送受信装置に日時指定予約を設定する動作を説明するために示すフローチャート。
【図２２】同実施の形態におけるデジタルテレビジョン放送受信装置に日時指定予約を設定する際の各種設定画面の一例を説明するために示す図。
【図２３】同実施の形態におけるデジタルテレビジョン放送受信装置の視聴番組録画動作を説明するために示すフローチャート。
【図２４】同実施の形態におけるデジタルテレビジョン放送受信装置に視聴番組録画動作を行なわせる録画設定画面の一例を説明するために示す図。
【図２５】同実施の形態におけるデジタルテレビジョン放送受信装置の録画が実行された後の動作を説明するために示すフローチャート。
【図２６】同実施の形態におけるデジタルテレビジョン放送受信装置の出力設定画面の一例を説明するために示す図。
【図２７】同実施の形態におけるデジタルテレビジョン放送受信装置の出力設定された予約録画動作を説明するためのフローチャート。
【図２８】同実施の形態におけるデジタルテレビジョン放送受信装置の出力設定された視聴番組録画動作を説明するためのフローチャート。
【図２９】同実施の形態におけるデジタルテレビジョン放送受信装置の録画番組検索動作を説明するために示すフローチャート。
【図３０】同実施の形態における録画番組検索動作のライブラリ画面の一例を説明するために示す図。
【図３１】同実施の形態における録画番組検索動作の録画番組検索画面の一例を説明するために示す図。
【図３２】同実施の形態における録画番組検索動作のジャンル設定画面の一例を説明するために示す図。
【図３３】同実施の形態における録画番組検索動作のキーワード設定画面の一例を説明するために示す図。
【図３４】同実施の形態における録画番組検索動作の日付設定画面の一例を説明するために示す図。
【図３５】同実施の形態における録画番組検索動作のチャンネル設定画面の一例を説明するために示す図。
【図３６】同実施の形態における録画番組検索動作の検索場所設定画面の一例を説明するために示す図。
【図３７】同実施の形態における録画番組検索動作の録画番組検索結果の画面の一例を説明するために示す図。
【図３８】同実施の形態における録画番組検索結果の画面から選択された番組を再生する動作を説明するために示すフローチャート。
【図３９】同実施の形態におけるデジタルテレビジョン放送受信装置がＬＡＮに接続されたＮＡＳを自動登録する動作を説明するために示すフローチャート。
【図４０】同実施の形態におけるデジタルテレビジョン放送受信装置がＬＡＮのＮＡＳ専用ポートに接続されたＮＡＳを自動登録する動作を説明するために示すフローチャート。
【図４１】同実施の形態におけるＮＡＳ内のディレクトリ構造の一例を説明するために示す図。
【図４２】同実施の形態におけるデジタルテレビジョン放送受信装置がＬＡＮに接続されたＮＡＳの共有フォルダを自動登録する動作を説明するために示すフローチャート。
【図４３】同実施の形態におけるデジタルテレビジョン放送受信装置がＬＡＮのＮＡＳ専用ポートに接続されたＮＡＳの共有フォルダを自動登録する動作を説明するために示すフローチャート。
【符号の説明】
【０１８１】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４…グラフィック処理部、５５…音声処理部、５６ａ〜５６ｄ…入力端子、５７…ＯＳＤ信号生成部、５８…映像処理部、５９…出力端子、６０…出力端子、６１…制御部、６２…ＲＯＭ、６３…ＲＡＭ、６４…不揮発性メモリ、６５…カードＩ／Ｆ、６６…カードホルダ、６７…カードＩ／Ｆ、６８…カードホルダ、６９…通信Ｉ／Ｆ、７０…通信Ｉ／Ｆ、７１…ＵＳＢ Ｉ／Ｆ、７２…ｉ．Link Ｉ／Ｆ。
【図１】
2006067540.tif 000003
【図２】
2006067540.tif 000004
【図３】
2006067540.tif 000005
【図４】
2006067540.tif 000006
【図５】
2006067540.tif 000007
【図６】
2006067540.tif 000008
【図７】
2006067540.tif 000009
【図８】
2006067540.tif 000010
【図９】
2006067540.tif 000011
【図１０】
2006067540.tif 000012
【図１１】
2006067540.tif 000013
【図１２】
2006067540.tif 000014
【図１３】
2006067540.tif 000015
【図１４】
2006067540.tif 000016
【図１５】
2006067540.tif 000017
【図１６】
2006067540.tif 000018
【図１７】
2006067540.tif 000019
【図１８】
2006067540.tif 000020
【図１９】
2006067540.tif 000021
【図２０】
2006067540.tif 000022
【図２１】
2006067540.tif 000023
【図２２】
2006067540.tif 000024
【図２３】
2006067540.tif 000025
【図２４】
2006067540.tif 000026
【図２５】
2006067540.tif 000027
【図２６】
2006067540.tif 000028
【図２７】
2006067540.tif 000029
【図２８】
2006067540.tif 000030
【図２９】
2006067540.tif 000031
【図３０】
2006067540.tif 000032
【図３１】
2006067540.tif 000033
【図３２】
2006067540.tif 000034
【図３３】
2006067540.tif 000035
【図３４】
2006067540.tif 000036
【図３５】
2006067540.tif 000037
【図３６】
2006067540.tif 000038
【図３７】
2006067540.tif 000039
【図３８】
2006067540.tif 000040
【図３９】
2006067540.tif 000041
【図４０】
2006067540.tif 000042
【図４１】
2006067540.tif 000043
【図４２】
2006067540.tif 000044
【図４３】
2006067540.tif 000045